(57)【要約】      （修正有）【課題】就床時の生体信号を検出するように構成された生体信号検出装置において、安価な構成でドアの開閉等を検出可能とする装置を提供する。【解決手段】右端部２２ａが開放されるとともに左端部２２ｂが閉塞された感圧チューブ２２に対して、右端部２２ａに受圧ユニット４０が装着されるとともに左端部２２ｂに感圧チューブ２２の内部空間と外部空間とを連通させる微細な貫通孔３２ａが形成された構成とする。これにより、貫通孔３２ａを介して、寝床が設置された部屋のドアの開閉等に伴う空気振動を感圧チューブ２２の内部空間に伝達させ、この空気振動を感圧チューブ２２の内圧変化として受圧ユニット４０で検出可能とする。その際、貫通孔３２ａを微細な貫通孔として形成しておくことにより、貫通孔３２ａを形成したために感圧チューブ２２の変形に伴う内圧変化を受圧ユニット４０によって検出する機能が損なわれてしまうのを未然に防止する。【選択図】図１
2016179035.tif 000002
【特許請求の範囲】
【請求項１】
感圧チューブと該感圧チューブに装着された受圧ユニットとを備え、上記感圧チューブを寝床に配置した状態で該感圧チューブの内圧変化を上記受圧ユニットで検出することにより就床時の生体信号を検出するように構成された生体信号検出装置において、
上記感圧チューブは、該感圧チューブの両端部のうち第１端部が開放されるとともに第２端部が閉塞されており、
上記感圧チューブの第１端部に上記受圧ユニットが装着されており、
上記感圧チューブの第２端部に該感圧チューブの内部空間と外部空間とを連通させる微細な貫通孔が形成されている、ことを特徴とする生体信号検出装置。
【請求項２】
上記感圧チューブの第２端部の閉塞は、該第２端部に栓部材が装着されることによって行われており、
上記栓部材に該栓部材を貫通するニードルパイプが装着されており、
上記ニードルパイプによって上記貫通孔が形成されている、ことを特徴とする請求項１記載の生体信号検出装置。
【請求項３】
上記受圧ユニットは、ダイヤフラムと該ダイヤフラムの両側に第１および第２空間を形成するように構成されたハウジングとを備えたマイクロホンユニットで構成されており、
上記ハウジングに、上記第１および第２空間の各々を該ハウジングの外部空間に連通させる第１および第２収音孔が形成されており、
上記受圧ユニットは、上記第１収音孔を上記感圧チューブの内部空間に連通させるとともに上記第２収音孔を上記感圧チューブの外部空間に連通させた状態で配置されている、ことを特徴とする請求項１または２記載の生体信号検出装置。
【請求項４】
上記感圧チューブと略平行に配置可能に構成された第２感圧チューブと、
上記第２感圧チューブの内部空間を上記第２収音孔に連通させる連結チューブとを備えている、ことを特徴とする請求項３記載の生体信号検出装置。
【請求項５】
上記第２感圧チューブに、該第２感圧チューブの内部空間と外部空間とを連通させる微細な第２貫通孔が形成されており、
上記第２貫通孔は、上記貫通孔の内径よりも大きい内径を有している、ことを特徴とする請求項４記載の生体信号検出装置。
【発明の詳細な説明】
【技術分野】
【０００１】
本願発明は、就床時の生体信号を検出するように構成された生体信号検出装置に関するものである。
【背景技術】
【０００２】
従来より、健康管理等を目的として、その管理対象者の就床時における生体信号を検出するように構成された生体信号検出装置が知られている。
【０００３】
「特許文献１」には、このような生体信号検出装置として、寝床に配置された感圧チューブの内圧変化を受圧ユニットで検出することにより、管理対象者の就床時における生体信号を検出するように構成されたものが記載されている。
【０００４】
この「特許文献１」に記載された生体信号検出装置は、生体信号を検出するだけでなく、寝床が設置された部屋のドアが開閉されたことについても検出可能な構成となっている。
【先行技術文献】
【特許文献】
【０００５】
【特許文献１】特開２０１４−１４９７５１号公報
【発明の概要】
【発明が解決しようとする課題】
【０００６】
上記「特許文献１」に記載された生体信号検出装置のように、ドアの開閉についても検出可能な構成とすることにより、管理対象者が部屋に入ってから就床するまでの所要時間あるいは起床してから部屋を出るまでの所要時間等を検出することも可能となり、これにより健康管理等を木目細かく行うことが可能となる。
【０００７】
しかしながら、上記「特許文献１」に記載された生体信号検出装置においては、ドアの開閉に伴う空気振動を、感圧チューブの僅かな変形による内圧変化によって検出する構成あるいは受圧ユニットとは別に配置されたマイクロホンユニットによって検出する構成となっているので、次のような問題がある。
【０００８】
すなわち、ドアの開閉等に伴う空気振動によって感圧チューブに生じる僅かな変形による内圧変化を検出する構成を採用した場合には、ドアの開閉等に対する検出精度を十分に高めることができない。一方、ドアの開閉等に伴う空気振動を受圧ユニットとは別に配置されたマイクロホンユニットによって検出する構成を採用した場合には、生体信号検出装置のコストが高くついてしまう。
【０００９】
本願発明は、このような事情に鑑みてなされたものであって、就床時の生体信号を検出するように構成された生体信号検出装置において、安価な構成でドアの開閉等を検出することができる生体信号検出装置を提供することを目的とするものである。
【課題を解決するための手段】
【００１０】
本願発明は、感圧チューブの構成に工夫を施すことにより、上記目的達成を図るようにしたものである。
【００１１】
すなわち、本願発明に係る生体信号検出装置は、
感圧チューブと該感圧チューブに装着された受圧ユニットとを備え、上記感圧チューブを寝床に配置した状態で該感圧チューブの内圧変化を上記受圧ユニットで検出することにより就床時の生体信号を検出するように構成された生体信号検出装置において、
上記感圧チューブは、該感圧チューブの両端部のうち第１端部が開放されるとともに第２端部が閉塞されており、
上記感圧チューブの第１端部に上記受圧ユニットが装着されており、
上記感圧チューブの第２端部に該感圧チューブの内部空間と外部空間とを連通させる微細な貫通孔が形成されている、ことを特徴とするものである。
【００１２】
上記「感圧チューブ」の断面形状や長さ等の具体的な構成については、特に限定されるものではない。
【００１３】
上記「受圧ユニット」は、感圧チューブの内圧変化を検出し得るように構成されていれば、その具体的な構成については特に限定されるものではない。
【００１４】
上記「微細な貫通孔」は、感圧チューブの変形に伴う内圧変化を受圧ユニットによって検出する機能を維持しつつ、ドアの開閉等に伴う空気振動を感圧チューブの内部空間に伝達可能な形状を有するものであれば、その内径や長さ等の具体的な構成は特に限定されるものではない。
【発明の効果】
【００１５】
上記構成に示すように、本願発明に係る生体信号検出装置は、第１端部が開放されるとともに第２端部が閉塞された感圧チューブに対して、その第１端部に受圧ユニットが装着されるとともに、その第２端部に感圧チューブの内部空間と外部空間とを連通させる（すなわち空間的に繋げる）微細な貫通孔が形成された構成となっているので、次のような作用効果を得ることができる。
【００１６】
すなわち、感圧チューブの第２端部に貫通孔が形成されていることにより、この貫通孔を介して、寝床が設置された部屋のドアの開閉等に伴う空気振動を感圧チューブの内部空間に伝達させることができ、この伝達した空気振動を感圧チューブの内圧変化として受圧ユニットで検出することができる。その際、この貫通孔は微細な貫通孔として形成されているので、この貫通孔が形成されたために感圧チューブの変形に伴う内圧変化を受圧ユニットによって検出する機能が損なわれてしまうのを未然に防止することができる。
【００１７】
このように本願発明によれば、就床時の生体信号を検出するように構成された生体信号検出装置において、安価な構成でドアの開閉等を検出することができる。
【００１８】
上記構成において、感圧チューブの第２端部の閉塞が栓部材の装着によって行われる構成とした上で、この栓部材を貫通するニードルパイプによって微細な貫通孔が形成される構成とすれば、次のような作用効果を得ることができる。
【００１９】
すなわち、微細な貫通孔をニードルパイプによって形成することにより、貫通孔の内径および長さ等の値を精度良く設定することができる。そしてこれにより、感圧チューブの変形による内圧変化の検出信号のレベルとドアの開閉等による内圧変化の検出信号のレベルとのバランス調整を行うことが容易に可能となる。
【００２０】
また、感圧チューブの第２端部に栓部材が装着された構成とすることにより、感圧チューブ自体の構成を簡素化することができる。
【００２１】
さらに、貫通孔の内径および／または長さが異なるニードルパイプを適宜取り換えることによって、感圧チューブの変形による内圧変化の検出信号のレベルとドアの開閉等による内圧変化の検出信号のレベルとのバランスを任意に調整することが容易に可能となる。
【００２２】
また、感圧チューブの第２端部に貫通孔が形成された構成とすることにより、感圧チューブの内部空間の気圧調整を行うことができるので、気圧調整を行うための構成を別途設ける必要をなくすことができる。
【００２３】
上記構成において、受圧ユニットの具体的な構成が特に限定されないことは上述したとおりであるが、この受圧ユニットを、ダイヤフラムとその両側に第１および第２空間を形成するように構成されたハウジングとを備えたマイクロホンユニットで構成することが可能である。
【００２４】
その際、この受圧ユニットの構成として、ハウジングに第１および第２空間の各々を該ハウジングの外部空間に連通させる第１および第２収音孔が形成された構成とした上で、第１収音孔を感圧チューブの内部空間に連通させるとともに第２収音孔を感圧チューブの外部空間に連通させた状態で配置された構成とすれば、第２収音孔を用いてドアの開閉音等を第２空間側から効率良く収音することができる。
【００２５】
なお、このような構成を採用した場合には、感圧チューブの第２端部に形成された貫通孔については、ドアの開閉音等の収音については考慮する必要がなく、感圧チューブの内圧変化による生体信号の検出機能と共に感圧チューブの内部空間の気圧調整機能が確保されていれば足りるので、その内径や長さを適宜調整することによって生体信号の検出精度を高めることができる。
【００２６】
また、このような構成を採用した上で、感圧チューブと略平行に配置可能に構成された第２感圧チューブと、この第２感圧チューブの内部空間を第２収音孔に連通させる連結チューブとを備えた構成とすれば、次のような作用効果を得ることができる。
【００２７】
すなわち、第２感圧チューブを感圧チューブと適当な間隔をおいて略平行に配置した状態で、この第２感圧チューブの変形による該第２感圧チューブの内圧変化を受圧ユニットで検出することにより、管理対象者がベッドに対して出入りしたことを検出することができる。そしてこれにより、管理対象者が部屋に入ってから就床するまでの所要時間あるいは起床してから部屋を出るまでの所要時間を精度良く検出することが可能となり、これにより健康管理等を木目細かく行うことが可能となる。
【００２８】
このような構成を採用した場合において、第２感圧チューブに該第２感圧チューブの内部空間と外部空間とを連通させる微細な第２貫通孔が形成された構成とした上で、この第２貫通孔として感圧チューブの第２端部に形成された貫通孔の内径よりも大きい内径を有する構成とすれば、次のような作用効果を得ることができる。
【００２９】
すなわち、第２感圧チューブには感圧チューブほどの感圧性能は要求されないので、第２貫通孔の内径を大き目に設定しておくことにより、第２感圧チューブとして必要な感圧性能は確保した上で、第２貫通孔を介してドアの開閉音等を第２空間側から効率良く収音することができる。
【図面の簡単な説明】
【００３０】
【図１】本願発明の一実施形態に係る生体信号検出装置を示す平面図
【図２】上記生体信号検出装置を使用状態で示す平面図
【図３】図１のIII−III線断面斜視図
【図４】図１のIV部詳細断面図
【図５】図１のＶ部詳細断面図
【図６】図５のVI部詳細図
【図７】上記実施形態の第１変形例を示す、図６と同様の図
【図８】上記実施形態の第２変形例を示す、図１と同様の図
【図９】上記第２変形例を示す、図２と同様の図
【図１０】図８のＸ部詳細断面図
【図１１】図８のXI部詳細断面図
【図１２】上記実施形態の第３変形例を示す、図１と同様の図
【図１３】（ａ）は図１２のXIIIａ部詳細断面図、（ｂ）は図１２のXIIIｂ部詳細断面図
【発明を実施するための形態】
【００３１】
以下、図面を用いて、本願発明の実施の形態について説明する。
【００３２】
図１は、本願発明の一実施形態に係る生体信号検出装置１０を示す平面図であり、図２は、この生体信号検出装置１０を使用状態で示す平面図である。
【００３３】
図２に示すように、本実施形態に係る生体信号検出装置１０は、健康管理等を目的として、その管理対象者４の就床時における生体信号を検出するために使用される装置であって、感圧チューブ２２を有する感圧ユニット２０と、その感圧チューブ２２の右端部に装着された受圧ユニット４０とを備えた構成となっている。
【００３４】
この生体信号検出装置１０においては、その感圧ユニット２０をベッド２のマットレス２ａの下に左右方向に延びるように配置した状態で、その感圧チューブ２２の内圧変化を受圧ユニット４０で検出することにより、管理対象者４の心拍音等の生体信号を検出するようになっている。
【００３５】
その際、感圧ユニット２０は、心拍音等の振動を効率良く検出できるようにするため、就床状態にある管理対象者４の胸部付近に位置するように配置することが好ましい。
【００３６】
なお、ベッド２は、そのマットレス２ａを支持する部分の周囲に転落防止用の柵２ｂが設置された構成となっている。その際、この柵２ｂは、ベッド２における管理対象者４の頭部側の略半分の領域および足元の領域に設置されている。そして、管理対象者４は、柵２ｂが設置されていない部分（すなわち足元寄りの部分）において、左右方向からベッド２に対して出入りすることができるようになっている。
【００３７】
次に、生体信号検出装置１０の具体的な構成について説明する。
【００３８】
図１に示すように、感圧ユニット２０は、左右方向に延びる感圧チューブ２２が、左右方向に延びる１対の弾性部材２４と共に、平面視において横長矩形状の外形形状を有する上下１対のプレート２６、２８に挟まれた構成となっている。その際、感圧チューブ２２は、両プレート２６、２８の幅方向中心部に配置されており、１対の弾性部材２４は、両プレート２６、２８の幅方向両端部に配置されている。
【００３９】
上下１対のプレート２６、２８は互いに同一の形状を有しており、その長さは８００ｍｍ程度、その幅は１００ｍｍ程度の値に設定されている。
【００４０】
感圧チューブ２２は、その右端部２２ａが両プレート２６、２８の右端面よりも右方向に僅かに突出しており、また、その左端部２２ｂが両プレート２６、２８の左端面よりも左方向に僅かに突出している。
【００４１】
感圧チューブ２２の右端部２２ａは開放されており、この右端部２２ａには受圧ユニット４０が装着されている。
【００４２】
一方、感圧チューブ２２の左端部２２ｂは閉塞されているが、この左端部２２ｂには微細な貫通孔３２ａが形成されている。その際、この左端部２２ｂの閉塞は栓部材３０によって行われており、その貫通孔３２ａは栓部材３０を貫通するニードルパイプ（これについては後述する）によって形成されている。
【００４３】
図３は、図１のIII−III線断面斜視図である。
【００４４】
同図に示すように、感圧チューブ２２は、軟質樹脂等の軟質材料で構成されており、円環状の断面形状を有している。この感圧チューブ２２は、その内径がφ２〜５ｍｍ程度の値（例えばφ３ｍｍ程度）に設定されており、その肉厚が１ｍｍ程度の値に設定されている。
【００４５】
各弾性部材２４は、スポンジ等の容易に弾性変形可能な材質で構成されており、矩形状の断面形状を有している。これら各弾性部材２４の厚さは、感圧チューブ２２の外径と略同じ値に設定されている。
【００４６】
各プレート２６、２８は、硬質樹脂等の硬質材料で構成されており、３ｍｍ程度の厚さを有している。
【００４７】
そして、感圧チューブ２２は、その外周面上の上下両端位置において上下１対のプレート２６、２８に接着等により固定されている。また、各弾性部材２４は、その上下両面において上下１対のプレート２６、２８に接着等により固定されている。
【００４８】
これにより、感圧ユニット２０においては、上下１対のプレート２６、２８に上下方向の圧力が加わると、感圧チューブ２２が弾性変形して、その内圧が変化するようになっている。その際、１対の弾性部材２４は、上下１対のプレート２６、２８に圧力が加わっていない状態では、元の矩形状の断面形状のまま感圧チューブ２２と共に両プレート２６、２８を平行な状態に維持する一方、上下１対のプレート２６、２８に上下方向の圧力が加わると、感圧チューブ２２よりも容易に変形して感圧チューブ２２が自由に変形するのを阻害しないようになっている。
【００４９】
図４は、図１のIV部詳細断面図である。
【００５０】
同図にも示すように、感圧チューブ２２の左端部２２ｂは栓部材３０によって閉塞されているが、この左端部２２ｂには栓部材３０を左右方向に貫通するニードルパイプ３２によって微細な貫通孔３２ａが形成されている。
【００５１】
栓部材３０は、硬質樹脂等の硬質材料からなる栓本体３４と、この栓本体３４に装着された軟質樹脂等の軟質材料からなるチューブ３６と、このチューブ３６の内部に挿入されたゴム等の軟質材料からなるブッシュ３８とで構成されている。
【００５２】
ニードルパイプ３２は、金属製の細いパイプであって、栓部材３０のブッシュ３８を貫通するように配置された状態で、その左端部においてブッシュ３８に支持されている。
【００５３】
栓本体３４は、外周面に環状凹部を有する筒状の部材であって、その右端部には大径部３４ａが形成されており、その左端部には小径部３４ｂが形成されている。そして、この栓本体３４の大径部３４ａには、感圧チューブ２２の左端部２２ｂが拡げられた状態で嵌め込まれており、その小径部３４ｂには、ブッシュ３８を収容したチューブ３６が拡げられた状態で嵌め込まれている。その際、ブッシュ３８に支持されたニードルパイプ３２は、栓本体３４と干渉することなくその内周空間を左右方向に挿通された状態で、栓本体３４の右端面よりも右方向の位置まで延びている。
【００５４】
ニードルパイプ３２の内径φＡは、感圧チューブ２２の内径の１／１８〜１／９程度の値（例えばφＡ＝０．３ｍｍ程度）に設定されている。また、ニードルパイプ３２の長さは、２０〜３０ｍｍ程度の値（例えば２３ｍｍ程度）に設定されている。
【００５５】
次に、受圧ユニット４０の構成について説明する。
【００５６】
図５は、図１のＶ部詳細図である。
【００５７】
同図に示すように、受圧ユニット４０は、マイクロホン５０とこれを収容する第１および第２ホルダ４２Ａ、４２Ｂとを備えたマイクロホンユニットとして構成されている。
【００５８】
マイクロホン５０は、ダイヤフラム５２と、このダイヤフラム５２の左右両側に第１空間Ｃ１および第２空間Ｃ２を形成するように構成されたハウジング５４とを備えている。なお、図５においてはマイクロホン５０の構成を簡略化して示している。
【００５９】
ハウジング５４には、第１空間Ｃ１を該ハウジング５４の外部空間に連通させる第１収音孔５４ａが形成されている。
【００６０】
第１および第２ホルダ４２Ａ、４２Ｂは、硬質樹脂等の硬質材料で構成されている。これら第１および第２ホルダ４２Ａ、４２Ｂは、マイクロホン５０と、このマイクロホン５０から延びるリードワイヤ４４と、このリードワイヤ４４に導線部４８ａがハンダ４６で導通固定された信号ケーブル４８の端部とを収容した状態で、左右両側から互いに組み付けられている。その際、信号ケーブル４８は、その端部が第１および第２ホルダ４２Ａ、４２Ｂの間に挟み込まれることによって、その位置決め固定がなされている。
【００６１】
第１ホルダ４２Ａには、円筒状のマイクロホン支持部４２Ａａが形成されていいる。このマイクロホン支持部４２Ａａには、マイクロホン５０が右方向から嵌め込まれている。
【００６２】
第１ホルダ４２Ａにおけるマイクロホン支持部４２Ａａの左側には、円筒状のチューブ連結部４２Ａｂがマイクロホン５０の第１収音孔５４ａと連通するようにして形成されている。このチューブ連結部４２Ａｂには、感圧チューブ２２の右端部２２ａが拡げられた状態で嵌め込まれている。
【００６３】
第１ホルダ４２Ａのマイクロホン支持部４２Ａａには、該マイクロホン支持部４２Ａａに嵌め込まれたマイクロホン５０の外周面に沿って接着剤等の封止剤７２が全周にわたって塗布されている。そしてこれにより、マイクロホン５０の第１空間Ｃ１を感圧チューブ２２の内部空間に確実に連通させるようになっている。
【００６４】
また、第１および第２ホルダ４２Ａ、４２Ｂの合わせ面および信号ケーブル４８の端部の挟み込み部分にも接着剤等の封止剤７４が塗布されている。そしてこれにより、第１および第２ホルダ４２Ａ、４２Ｂの内部空間と外部空間とを確実に隔離するようになっている。
【００６５】
次に、マイクロホン５０の具体的な構成について説明する。
【００６６】
図６は、図５のVI部詳細図である。
【００６７】
同図に示すように、マイクロホン５０はエレクトレットコンデンサマイクロホンであって、ダイヤフラム５２が、支持リング５６、背面電極板５８、スペーサ６０、ブッシュ６２およびインピーダンス変換素子６４と共に、ハウジング５４に収容された構成となっている。
【００６８】
ハウジング５４は、導電性カバー６６と基板６８とで構成されている。
【００６９】
導電性カバー６６は、側面視において円形の外形形状を有する筒状部材であって、金属板にプレス加工を施すことにより形成されている。一方、基板６８は、導電性カバー６６の内径と略同じ外径の円板形状を有しており、導電性カバー６６の左端面壁と平行に配置されている。導電性カバー６６における周面壁の右端部には、内周側へ折れ曲がるようにして延びる環状折曲部６６ａが延長形成されており、この環状折曲部６６ａにおいて導電性カバー６６は基板６８にカシメ固定されている。
【００７０】
ハウジング５４の第１収音孔５４ａは、導電性カバー６６における左端面壁の複数箇所に形成されている。
【００７１】
ダイヤフラム５２は、高分子フィルムの左表面に金属蒸着膜が形成された構成となっており、その外周縁部において支持リング５６に支持されている。この支持リング５６は、円環状の金属板で構成されており、導電性カバー６６の内径よりもやや小さい外径を有している。ダイヤフラム５２は、この支持リング５６の右表面に張設固定（すなわちテンションをかけた状態で接着等により固定）されている。
【００７２】
背面電極板５８は、支持リング５６よりも外径がひと回り小さい円板形状を有しており、ダイヤフラム５２の右側に近接して配置されている。この背面電極板５８は、金属板で構成された電極板本体の左表面にエレクトレット層５８ａが配置された構成となっている。このエレクトレット層５８ａは、電極板本体に形成された絶縁膜に所定のチャージ電圧で分極処理を施すことによって生成されており、これにより所定の表面電位が付与されている。この背面電極板５８には、その周方向の複数箇所に、該背面電極板５８を左右方向に貫通する貫通孔５８ｂが形成されている。
【００７３】
スペーサ６０は、円環状に形成された樹脂製の薄板で構成されており、ダイヤフラム５２と背面電極板５８との間に配置されている。そして、このスペーサ６０を介してダイヤフラム５２と背面電極板５８のエレクトレット層５８ａとが平行に対向配置されることにより、コンデンサ部が構成されるようになっている。
【００７４】
ブッシュ６２は、外周円筒部と中心部とこれらを接続する右端壁部とからなり、支持リング５６と略同じ外径を有している。このブッシュ６２は、背面電極板５８の右側に配置されており、その外周円筒部の左端部において背面電極板５８を支持している。このブッシュ６２の中心部には、インピーダンス変換素子６４を収容するための凹部６２ａが形成されている。また、このブッシュ６２の右端壁部には、その複数箇所に該右端壁部を左右方向に貫通する貫通孔６２ｂが形成されている。
【００７５】
基板６８は、ブッシュ６２の右側において該ブッシュ６２に当接した状態で配置されている。
【００７６】
インピーダンス変換素子６４は、左右両側に突出する１対の端子６４ａ、６４ｂを有するＦＥＴで構成されている。左側へ延びる端子６４ａは、ブッシュ６２を貫通した状態でその先端部が折れ曲がっており、この先端部において背面電極板５８と導通している。また、右側へ延びる端子６４ｂは、基板６８を貫通した状態でその先端部が折れ曲がっており、この先端部において基板６８の右表面に施されたハンダ７０によってリードワイヤ４４と導通している。
【００７７】
次に本実施形態の作用効果について説明する。
【００７８】
本実施形態に係る生体信号検出装置１０は、右端部２２ａ（第１端部）が開放されるとともに左端部２２ｂ（第２端部）が閉塞された感圧チューブ２２に対して、その右端部２２ａに受圧ユニット４０が装着されるとともに、その左端部２２ｂに感圧チューブ２２の内部空間と外部空間とを連通させる微細な貫通孔３２ａが形成された構成となっているので、次のような作用効果を得ることができる。
【００７９】
すなわち、感圧チューブ２２の左端部２２ｂに貫通孔３２ａが形成されていることにより、この貫通孔３２ａを介して、ベッド２（寝床）が設置された部屋のドアの開閉等に伴う空気振動を感圧チューブ２２の内部空間に伝達させることができ、この伝達した空気振動を感圧チューブ２２の内圧変化として受圧ユニット４０で検出することができる。その際、この貫通孔３２ａは微細な貫通孔として形成されているので、この貫通孔３２ａが形成されたために感圧チューブ２２の変形に伴う内圧変化を受圧ユニット４０によって検出する機能が損なわれてしまうのを未然に防止することができる。
【００８０】
このように本実施形態によれば、就床時の生体信号を検出するように構成された生体信号検出装置１０において、安価な構成でドアの開閉等を検出することができる。
【００８１】
本実施形態においては、感圧チューブ２２の左端部２２ｂの閉塞が栓部材３０の装着によって行われており、この栓部材３０を貫通するニードルパイプ３２によって微細な貫通孔３２ａが形成されているので、次のような作用効果を得ることができる。
【００８２】
すなわち、微細な貫通孔３２ａをニードルパイプ３２によって形成することにより、貫通孔３２ａの内径および長さ等の値を精度良く設定することができる。そしてこれにより、感圧チューブ２２の変形による内圧変化の検出信号のレベルとドアの開閉等による内圧変化の検出信号のレベルとのバランス調整を行うことが容易に可能となる。
【００８３】
また、感圧チューブ２２の左端部２２ｂに栓部材３０が装着された構成とすることにより、感圧チューブ２２自体の構成を簡素化することができる。
【００８４】
さらに、貫通孔３２ａの内径および／または長さが異なるニードルパイプ３２を適宜取り換えるようにすれば、感圧チューブ２２の変形による内圧変化の検出信号のレベルとドアの開閉等による内圧変化の検出信号のレベルとのバランスを任意に調整することも可能である。
【００８５】
また本実施形態においては、感圧チューブ２２が、感圧ユニット２０の一部として、１対の弾性部材２４と共に上下１対のプレート２６、２８に挟まれた構成となっているので、管理対象者４から受ける荷重を両プレート２６、２８を介して感圧チューブ２２の略全長にわたって略均等に作用させることができ、これにより生体信号の検出を精度良く行うことができる。
【００８６】
さらに本実施形態においては、感圧チューブ２２の左端部２２ｂに貫通孔３２ａが形成されているので、感圧チューブ２２の内部空間の気圧調整を行うことができ、これにより気圧調整を行うための構成を別途設ける必要（例えばダイヤフラム５２に微小孔を形成する必要）をなくすことができる。
【００８７】
なお、上記実施形態のように、栓部材３０を貫通するニードルパイプ３２によって微細な貫通孔３２ａが形成された構成とする代わりに、栓部材自体に微細な貫通孔が形成された構成とすることも可能であり、また、感圧チューブ自体の構成として左端部が閉塞された構成とした上で該左端部に微細な貫通孔が形成された構成とすることも可能である。
【００８８】
上記実施形態においては、感圧チューブ２２が円環状の断面形状を有しているものとして説明したが、これ以外の断面形状（例えば楕円環状や長円環状の断面形状）を有する構成とすることも可能である。
【００８９】
上記実施形態においては、寝床がベッド２であり、感圧ユニット２０がマットレス２ａの下に配置された状態で使用されるものとして説明したが、寝床が床面に敷かれた布団であって、感圧ユニット２０がこの布団の下に配置された状態で使用されるようにすることも可能である。
【００９０】
上記実施形態においては、感圧チューブ２２が感圧ユニット２０の一部として構成されているものとして説明したが、感圧チューブ２２が直接マットレス等の下に配置されるような構成とすることも可能である。
【００９１】
次に、上記実施形態の変形例について説明する。
【００９２】
まず、上記実施形態の第１変形例について説明する。
【００９３】
図７は、本変形例に係る生体信号検出装置の要部を示す、図６と同様の図である。
【００９４】
同図に示すように、この生体信号検出装置の基本的な構成は上記実施形態の場合と同様であるが、その受圧ユニット１４０におけるマイクロホン１５０および第２ホルダ１４２Ｂの構成が上記実施形態の場合と一部異なっている。
【００９５】
すなわち、本変形例のマイクロホン１５０は、上記実施形態のマイクロホン５０と同様の構成を有しているが、そのハウジング１５４の基板１６８の複数箇所に第２空間Ｃ２を該ハウジング１５４の外部空間に連通させるための第２収音孔１５４ｂが形成されている点で上記実施形態の場合と異なっている。その際、複数の第２収音孔１５４ｂは、ブッシュ６２の右端壁部に形成された複数の貫通孔６２ｂと対応する位置に形成されている。
【００９６】
また、本変形例の第２ホルダ１４２Ｂは、上記実施形態の第２ホルダ４２Ｂと同様の構成を有しているが、第１ホルダ４２Ａのマイクロホン支持部４２Ａａと対向する位置に貫通孔１４２Ｂａが形成されている点で上記実施形態の場合と異なっている。この貫通孔１４２Ｂａの内径は、ニードルパイプ３２の微細な貫通孔３２ａ（図４参照）の内径よりも十分大きい値に設定されている。
【００９７】
本変形例の構成を採用することにより、受圧ユニット１４０の構成として、マイクロホン１５０の第２空間Ｃ２が、ブッシュ６２の貫通孔６２ｂ、第２収音孔１５４ｂおよび第２ホルダ１４２Ｂの貫通孔１４２Ｂａを介して受圧ユニット１４０の外部空間と連通した構成とすることができる。そしてこれにより、受圧ユニット１４０によってドアの開閉音等を第２空間Ｃ２側から効率良く収音することができる。
【００９８】
なお、本変形例において、感圧チューブ２２の左端部２２ｂに形成された貫通孔３２ａは、ドアの開閉音等の収音については考慮する必要がなく、感圧チューブ２２の内圧変化による生体信号の検出機能と共にその内部空間の気圧調整機能が確保されていれば足りるので、その内径や長さを適宜調整することによって生体信号の検出精度を高めることができる。
【００９９】
次に、上記実施形態の第２変形例について説明する。
【０１００】
図８は、本変形例に係る生体信号検出装置２１０を示す平面図である。
【０１０１】
同図に示すように、この生体信号検出装置２１０は、上記実施形態に係る生体信号検出装置１０に対して、第２感圧チューブ２２２を有する第２感圧ユニット２２０と、その第２感圧チューブ２２２を受圧ユニット２４０と連結するための連結チューブ２１２とが追加配置された構成となっている。これに伴い、受圧ユニット２４０の構成は、後述するように上記実施形態の受圧ユニット４０とは一部異なっている。
【０１０２】
図９は、生体信号検出装置２１０を使用状態で示す平面図である。
【０１０３】
同図に示すように、この生体信号検出装置２１０においては、その第２感圧ユニット２２０をベッド２において感圧ユニット２０と略平行に延びるように配置した状態で、その第２感圧チューブ２２２の内圧変化を受圧ユニット２４０で検出することにより、管理対象者４がベッド２に出入りしたことを検出するようになっている。
【０１０４】
その際、管理対象者４はベッド２に対して柵２ｂが設置されていない部分（すなわち管理対象者４の足元寄りの部分）において出入りすることとなるので、第２感圧ユニット２２０は管理対象者４の膝部付近に位置するように配置することが好ましい。
【０１０５】
図８に示すように、第２感圧ユニット２２０は、感圧ユニット２０と同様、左右方向に延びる第２感圧チューブ２２２が、左右方向に延びる１対の弾性部材２２４と共に、平面視において横長矩形状の外形形状を有する上下１対のプレート２２６、２２８に挟まれた構成となっている。
【０１０６】
この第２感圧ユニット２２０は、第２感圧チューブ２２２の両端部２２２ａ、２２２ｂ周辺の構成が感圧ユニット２０の場合と異なっているが、それ以外の構成については感圧ユニット２０の場合と同様である。
【０１０７】
図１０は、図８のＸ部詳細断面図である。
【０１０８】
同図にも示すように、第２感圧チューブ２２２の左端部２２２ｂは栓部材２３０によって閉塞されているが、この左端部２２２ｂには栓部材２３０を貫通するニードルパイプ２３２によって微細な第２貫通孔２３２ａが形成されている。
【０１０９】
栓部材２３０は、栓本体２３４、チューブ２３６およびブッシュ２３８によって構成されている。この栓部材２３０の構成は栓部材３０と同様である。
【０１１０】
ニードルパイプ２３２は、ニードルパイプ３２と同様、金属製の細いパイプであって、栓部材２３０のブッシュ２３８を貫通するように配置された状態で、その左端部においてブッシュ２３８に支持されている。ただし、このニードルパイプ２３２はニードルパイプ３２よりも大きい内径を有している。
【０１１１】
具体的には、ニードルパイプ２３２の内径φＢは、第２感圧チューブ２２２の内径の１／８〜１／４程度の値（例えばφＢ＝０．５ｍｍ程度）に設定されている。また、ニードルパイプ２３２の長さは、２０〜３０ｍｍ程度の値（例えば２３ｍｍ程度）に設定されている。
【０１１２】
図８に示すように、第２感圧ユニット２２０においては、第２感圧チューブ２２２の右端部２２２ａの両プレート２２６、２２８の右端面からの突出量が、感圧ユニット２０における感圧チューブ２２の場合よりも大きい値に設定されている。
【０１１３】
第２感圧チューブ２２２の右端部２２２ａは開放されており、この右端部２２２ａには連結チューブ２１２がＬ字形の連結具２１６を介して連結されている。そして、この連結チューブ２１２は、Ｌ字形の連結具２１４を介して受圧ユニット２４０に連結されている。連結チューブ２１２の構成は感圧チューブ２２と同様である。
【０１１４】
図１１は、図８のXI部詳細断面図である。
【０１１５】
同図にも示すように、受圧ユニット２４０は、その第２ホルダ２４２Ｂの構成が上記第１変形例の場合と一部異なっている。
【０１１６】
すなわち、この第２ホルダ２４２Ｂは、上記第１変形例の第２ホルダ１４２Ｂと同様、第１ホルダ４２Ａのマイクロホン支持部４２Ａａと対向する位置に、第２ホルダ１４２Ｂの貫通孔１４２Ｂａと同様の貫通孔２４２Ｂａが形成された構成となっているが、さらに、この第２ホルダ２４２Ｂには、第１ホルダ４２Ａのマイクロホン支持部４２Ａａと対向する位置に、円筒状のチューブ連結部２４２Ｂｂが貫通孔２４２Ｂａと連通するようにして形成されている。
【０１１７】
このチューブ連結部２４２Ｂｂには、Ｌ字形の連結具２１４の一部を構成するパイプ２１４Ａが挿着されている。そしてこれにより、マイクロホン１５０の第２収音孔１５４ｂを、連結チューブ２１２を介して第２感圧チューブ２２２の内部空間に連通させるようになっている。
【０１１８】
本変形例の構成を採用することにより、次のような作用効果を得ることができる。
【０１１９】
すなわち、管理対象者４は、ベッド２に対して出入りする際、柵２ｂが設置されていない足元付近の左右端部に腰掛けることとなるが、この足元付近には第２感圧ユニット２２０が配置されているので、管理対象者４の体重がこの第２感圧ユニット２２０に集中して、その第２感圧チューブ２２２が大きく変形することとなる。したがって、この変形による第２感圧チューブ２２２の内圧変化を受圧ユニット２４０で検出することにより、管理対象者４のベッド２への出入りを精度良く検出することができる。
【０１２０】
そしてこれにより、管理対象者４が部屋に入ってから就床するまでの所要時間あるいは起床してから部屋を出るまでの所要時間を精度良く検出することができ、これにより健康管理等を木目細かく行うことができる。
【０１２１】
その際、第２感圧チューブ２２２の左端部２２２ｂには、その内部空間と外部空間とを連通させる微細な第２貫通孔２３２ａが形成されており、この第２貫通孔２３２ａは感圧チューブ２２の左端部２２ｂに形成された微細な貫通孔３２ａの内径よりも大きい内径を有しているので、次のような作用効果を得ることができる。
【０１２２】
すなわち、第２感圧チューブ２２２には感圧チューブ２２ほどの感圧性能は要求されないので、このように第２貫通孔２３２ａの内径を大き目に設定しておくことにより、第２感圧チューブ２２２として必要な感圧性能は確保した上で、受圧ユニット２４０によってドアの開閉音等を第２空間Ｃ２側から効率良く収音することができる。
【０１２３】
一方、管理対象者４がベッド２において就床状態にあるときには、管理対象者４の体重は感圧ユニット２０と第２感圧ユニット２２０とに分散されるが、第２感圧チューブ２２２の感圧性能を相対的に低下させておくことにより、第２感圧チューブ２２２の内圧変化による影響をほとんど受けることなく、感圧チューブ２２の内圧変化によって生体信号を精度良く検出することができる。
【０１２４】
また、感圧チューブ２２の左端部２２ｂに形成された貫通孔３２ａは、ドアの開閉音等の収音については考慮する必要がなく、感圧チューブ２２の内圧変化による生体信号の検出機能と共にその内部空間の気圧調整機能が確保されていれば足りるので、その内径や長さを適宜調整することによって生体信号の検出精度を高めることができる。
【０１２５】
次に、上記実施形態の第３変形例について説明する。
【０１２６】
図１２は、本変形例に係る生体信号検出装置３１０を示す平面図である。
【０１２７】
同図にも示すように、この生体信号検出装置３１０は、上記第２変形例に係る生体信号検出装置２１０と基本的な構成は同様であるが、第２感圧チューブ２２２の左端部２２２ｂ周辺の構成および連結チューブ２１２と受圧ユニット２４０との連結部分の構成が上記第２変形例の場合と異なっている。
【０１２８】
図１３（ａ）は、図１２のXIIIａ部詳細断面図である。
【０１２９】
同図に示すように、本変形例においては、第２感圧チューブ２２２の左端部２２２ｂが栓部材３１８によって完全に閉塞されている。
【０１３０】
図１３（ｂ）は、図１２のXIIIｂ部詳細断面図である。
【０１３１】
同図に示すように、本変形例においては、連結チューブ２１２と受圧ユニット２４０との連結がＴ字形の連結具３１４を介して行われている。
【０１３２】
この連結具３１４は、その一部を構成するパイプ３１４Ｂを介して連結チューブ２１２の内部空間と外部空間とを連通させ得る構成となっているが、そのパイプ３１４Ｂは栓部材３３０によって閉塞されている。ただし、この栓部材３３０には該栓部材３３０を貫通するニードルパイプ３３２が装着されており、このニードルパイプ３３２によって連結チューブ２１２の内部空間と外部空間とを連通させる微細な第２貫通孔３３２ａが形成されている。
【０１３３】
栓部材３３０およびニードルパイプ３３２の構成は、上記第２変形例の栓部材２３０およびニードルパイプ２３２と同様である。
【０１３４】
本変形例の構成を採用した場合においても、第２感圧チューブ２２２として必要な感圧性能は確保した上で、受圧ユニット２４０によってドアの開閉音等を第２空間Ｃ２側から効率良く収音することができる。
【０１３５】
また、本変形例においても、感圧チューブ２２の左端部２２ｂに形成された貫通孔３２ａは、ドアの開閉音等の収音については考慮する必要がなく、感圧チューブ２２の内圧変化による生体信号の検出機能と共にその内部空間の気圧調整機能が確保されていれば足りるので、その内径や長さを適宜調整することによって生体信号の検出精度を高めることができる。
【０１３６】
なお、上記実施形態およびその変形例において諸元として示した数値は一例にすぎず、これらを適宜異なる値に設定してもよいことはもちろんである。
【０１３７】
また、本願発明は、上記実施形態およびその変形例に記載された構成に限定されるものではなく、これ以外の種々の変更を加えた構成が採用可能である。
【符号の説明】
【０１３８】
２  ベッド（寝床）
２ａ  マットレス
２ｂ  柵
４  管理対象者
１０、２１０、３１０  生体信号検出装置
２０  感圧ユニット
２２  感圧チューブ
２２ａ  右端部（第１端部）
２２ｂ  左端部（第２端部）
２４、２２４  弾性部材
２６、２８、２２６、２２８  プレート
３０、２３０、３１８、３３０  栓部材
３２、２３２、３３２  ニードルパイプ
３２ａ  微細な貫通孔
３４、２３４  栓本体
３４ａ  大径部
３４ｂ  小径部
３６、２３６  チューブ
３８、２３８  ブッシュ
４０、１４０、２４０  受圧ユニット
４２Ａ  第１ホルダ
４２Ａａ  マイクロホン支持部
４２Ａｂ、２４２Ｂｂ  チューブ連結部
４２Ｂ、１４２Ｂ、２４２Ｂ  第２ホルダ
４４  リードワイヤ
４６、７０  ハンダ
４８  信号ケーブル
４８ａ  導線部
５０、１５０  マイクロホン
５２  ダイヤフラム
５４、１５４  ハウジング
５４ａ  第１収音孔
１５４ｂ  第２収音孔
５６  支持リング
５８  背面電極板
５８ａ  エレクトレット層
５８ｂ、６２ｂ、１４２Ｂａ、２４２Ｂａ  貫通孔
６０  スペーサ
６２  ブッシュ
６２ａ  凹部
６４  インピーダンス変換素子
６４ａ、６４ｂ  端子
６６  導電性カバー
６６ａ  環状折曲部
６８、１６８  基板
７２、７４  封止剤
２１２  連結チューブ
２１４、２１６、３１４  連結具
２１４Ａ、３１４Ｂ  パイプ
２２０  第２感圧ユニット
２２２  第２感圧チューブ
２２２ａ  右端部
２２２ｂ  左端部
２３２ａ、３３２ａ  微細な第２貫通孔
Ｃ１  第１空間
Ｃ２  第２空間
【図１】
2016179035.tif 000003
【図２】
2016179035.tif 000004
【図３】
2016179035.tif 000005
【図４】
2016179035.tif 000006
【図５】
2016179035.tif 000007
【図６】
2016179035.tif 000008
【図７】
2016179035.tif 000009
【図８】
2016179035.tif 000010
【図９】
2016179035.tif 000011
【図１０】
2016179035.tif 000012
【図１１】
2016179035.tif 000013
【図１２】
2016179035.tif 000014
【図１３】
2016179035.tif 000015